(57)【要約】【課題】立体感に溢れる外観を呈する時計用文字板を提供すること、また、前記時計用文字板を備えた時計を提供すること。【解決手段】本発明の時計用文字板１は、平面視した際に複数個のマイクロレンズ１１１が規則的に配置されたマイクロレンズ層１１と、複数の線状の模様１２１が設けられた装飾層１２とを備えるものである。時計用文字板１を平面視した際に、マイクロレンズ層１１と装飾層１２とが重なり合うものである。隣接する線状の模様１２１のピッチは、直線状の基準線１２０の長手方向に沿って変化するものである。【選択図】図２
2013044685.tif 000002
【特許請求の範囲】
【請求項１】
平面視した際に複数個のマイクロレンズが規則的に配置されたマイクロレンズ層と、
複数の線状の模様が設けられた装飾層とを備え、
平面視した際に、前記マイクロレンズ層と前記装飾層とが重なり合うものであることを特徴とする時計用文字板。
【請求項２】
隣接する前記線状の模様のピッチは、直線状の基準線の長手方向に沿って変化するものである請求項１に記載の時計用文字板。
【請求項３】
複数の前記線状の模様は、直線状の基準線の長手方向の各部位における前記基準線の単位長さあたりの前記ピッチの変化率が、互いに等しいものである請求項２に記載の時計用文字板。
【請求項４】
隣接する前記線状の模様のピッチが４０μｍ以上５５０μｍ以下である請求項２または３に記載の時計用文字板。
【請求項５】
前記マイクロレンズのピッチをＰＭＬ［μｍ］、隣接する前記線状の模様のピッチをＰＲ［μｍ］としたとき、０．５≦ＰＲ／ＰＭＬ≦１．５の関係を満足する請求項２ないし４のいずれかに記載の時計用文字板。
【請求項６】
前記マイクロレンズの焦点距離をＬ０［μｍ］、前記マイクロレンズのレンズ面から前記装飾層の表面までの距離をＬ１［μｍ］としたとき、０．５≦Ｌ１／Ｌ０≦１．５の関係を満足する請求項１ないし５のいずれかに記載の時計用文字板。
【請求項７】
時計用文字板を平面視した際の隣接する前記マイクロレンズの中心を直線で結んだ場合に、当該直線により複数個の三角形が規則的に配置されたものとなる請求項１ないし６のいずれかに記載の時計用文字板。
【請求項８】
前記三角形は、正三角形である請求項７に記載の時計用文字板。
【請求項９】
時計用文字板を平面視した際の隣接する前記マイクロレンズの中心を直線で結んだ場合に、当該直線により複数個の四角形が規則的に配置されたものとなる請求項１ないし８のいずれかに記載の時計用文字板。
【請求項１０】
前記四角形は、正方形である請求項９に記載の時計用文字板。
【請求項１１】
前記マイクロレンズのレンズ面から前記装飾層の表面までの距離が１００μｍ以上１０００μｍ以下である請求項１ないし１０のいずれかに記載の時計用文字板。
【請求項１２】
前記マイクロレンズの焦点距離が１００μｍ以上１０００μｍ以下である請求項１ないし１１のいずれかに記載の時計用文字板。
【請求項１３】
前記マイクロレンズのピッチが５０μｍ以上５００μｍ以下である請求項１ないし１２のいずれかに記載の時計用文字板。
【請求項１４】
時計用文字板を平面視した際に、時字が設けられていない部分の少なくとも一部に、前記装飾層の前記線状の模様および前記マイクロレンズ層の前記マイクロレンズが設けられており、時字が設けられている部分には、前記装飾層の前記線状の模様および／または前記マイクロレンズ層の前記マイクロレンズが設けられていない請求項１ないし１３のいずれかに記載の時計用文字板。
【請求項１５】
請求項１ないし１４のいずれかに記載の時計用文字板を備えたことを特徴とする時計。
【発明の詳細な説明】
【技術分野】
【０００１】
本発明は、時計用文字板および時計に関する。
【背景技術】
【０００２】
時計、時計用文字板は、実用品としての機能が求められるとともに、装飾品としての装飾性（美的外観）が求められる。
従来、時計用文字板としては、高級感のある外観を得るために、一般に、金属材料で構成されたものが用いられてきたが、従来の時計用文字板では、表現することのできる外観の範囲が限られており、需要者のニーズに十分に対応することができなかった。
例えば、立体感のある外観を呈する文字板を備えた時計に対するニーズは大きく、模様等のパターンと透明塗膜とを交互に複数形成して積層化した時計用文字板が提案されている（特許文献１参照）。
【０００３】
しかしながら、このような時計用文字板では、時計用文字板の厚み以上の立体感を表現することができず、また、厚さの制限から、時計用文字板自体の厚さを極端に大きくすることも困難であるため、上記のようなニーズに十分に応えることができなかった。特に、腕時計のような携帯時計に適用される文字板では、特に、時計全体としての厚みについての制約が大きく、立体感に溢れた外観の実現が極めて困難であった。
【先行技術文献】
【特許文献】
【０００４】
【特許文献１】特開平２−３０６１８８号公報
【発明の概要】
【発明が解決しようとする課題】
【０００５】
本発明の目的は、立体感に溢れる外観を呈する時計用文字板を提供すること、また、前記時計用文字板を備えた時計を提供することにある。
【課題を解決するための手段】
【０００６】
このような目的は下記の本発明により達成される。
本発明の時計用文字板は、平面視した際に複数個のマイクロレンズが規則的に配置されたマイクロレンズ層と、
複数の線状の模様が設けられた装飾層とを備え、
平面視した際に、前記マイクロレンズ層と前記装飾層とが重なり合うものであることを特徴とする。
これにより、立体感に溢れる外観を呈する時計用文字板を提供することができる。
【０００７】
本発明の時計用文字板では、隣接する前記線状の模様のピッチは、直線状の基準線の長手方向に沿って変化するものであることが好ましい。
これにより、時計用文字板の外観をより立体感に溢れるものとすることができ、時計用文字板の美的外観を特に優れたものとすることができる。
本発明の時計用文字板では、複数の前記線状の模様は、直線状の基準線の長手方向の各部位における前記基準線の単位長さあたりの前記ピッチの変化率が、互いに等しいものであることが好ましい。
これにより、時計用文字板の外観をより立体感に溢れるものとすることができ、時計用文字板の美的外観をさらに優れたものとすることができる。
本発明の時計用文字板では、隣接する前記線状の模様のピッチが４０μｍ以上５５０μｍ以下であることが好ましい。
これにより、時計用文字板の美的外観を特に優れたものとすることができる。
【０００８】
本発明の時計用文字板では、前記マイクロレンズのピッチをＰＭＬ［μｍ］、隣接する前記線状の模様のピッチをＰＲ［μｍ］としたとき、０．５≦ＰＲ／ＰＭＬ≦１．５の関係を満足することが好ましい。
これにより、時計用文字板の外観をより立体感に溢れるものとすることができ、時計用文字板の美的外観を特に優れたものとすることができる。
【０００９】
本発明の時計用文字板では、前記マイクロレンズの焦点距離をＬ０［μｍ］、前記マイクロレンズのレンズ面から前記装飾層の表面までの距離をＬ１［μｍ］としたとき、０．５≦Ｌ１／Ｌ０≦１．５の関係を満足することが好ましい。
これにより、時計用文字板の外観をより立体感に溢れるものとすることができ、時計用文字板の美的外観を特に優れたものとすることができる。
【００１０】
本発明の時計用文字板では、時計用文字板を平面視した際の隣接する前記マイクロレンズの中心を直線で結んだ場合に、当該直線により複数個の三角形が規則的に配置されたものとなることが好ましい。
これにより、時計用文字板の美的外観を特に優れたものとすることができる。
本発明の時計用文字板では、前記三角形は、正三角形であることが好ましい。
これにより、時計用文字板の美的外観をさらに優れたものとすることができる。
【００１１】
本発明の時計用文字板では、時計用文字板を平面視した際の隣接する前記マイクロレンズの中心を直線で結んだ場合に、当該直線により複数個の四角形が規則的に配置されたものとなることが好ましい。
これにより、時計用文字板の美的外観を特に優れたものとすることができる。
本発明の時計用文字板では、前記四角形は、正方形であることが好ましい。
これにより、時計用文字板の美的外観をさらに優れたものとすることができる。
【００１２】
本発明の時計用文字板では、前記マイクロレンズのレンズ面から前記装飾層の表面までの距離が１００μｍ以上１０００μｍ以下であることが好ましい。
これにより、時計用文字板の外観をより立体感に溢れるものとすることができ、時計用文字板の美的外観を特に優れたものとすることができる。
本発明の時計用文字板では、前記マイクロレンズの焦点距離が１００μｍ以上１０００μｍ以下であることが好ましい。
これにより、時計用文字板の美的外観を特に優れたものとすることができる。
本発明の時計用文字板では、前記マイクロレンズのピッチが５０μｍ以上５００μｍ以下であることが好ましい。
これにより、時計用文字板の美的外観を特に優れたものとすることができる。
【００１３】
本発明の時計用文字板では、時計用文字板を平面視した際に、時字が設けられていない部分の少なくとも一部に、前記装飾層の前記線状の模様および前記マイクロレンズ層の前記マイクロレンズが設けられており、時字が設けられている部分には、前記装飾層の前記線状の模様および／または前記マイクロレンズ層の前記マイクロレンズが設けられていないことが好ましい。
これにより、時刻の視認性を特に優れたものとしつつ、時計用文字板の外観を特に優れたものとすることができ、実用品としての実用性と、装飾品としての美的外観とを、より高いレベルで両立することができる。
本発明の時計は、本発明の時計用文字板を備えたことを特徴とする。
これにより、立体感に溢れる外観を呈する時計用文字板を備えた時計を提供することができる。
【発明の効果】
【００１４】
本発明によれば、立体感に溢れる外観を呈する時計用文字板を提供すること、また、前記時計用文字板を備えた時計を提供することができる。
【図面の簡単な説明】
【００１５】
【図１】本発明の時計用文字板の第１実施形態を示す平面図である。
【図２】図１に示す時計用文字板の断面図である。
【図３】本発明の時計用文字板の第２実施形態を示す平面図である。
【図４】本発明の時計用文字板の第３実施形態を示す平面図である。
【図５】本発明の時計（携帯時計）の好適な実施形態を示す部分断面図である。
【発明を実施するための形態】
【００１６】
以下、本発明の好適な実施形態について、添付図面を参照しつつ説明する。
まず、本発明の時計用文字板の好適な実施形態について説明する。
＜時計用文字板＞
（第１実施形態）
図１は、本発明の時計用文字板の第１実施形態を示す平面図、図２は、図１に示す時計用文字板の断面図である。なお、本明細書で参照する図面は、構成の一部を誇張して示したものであり、実際の寸法等を正確に反映したものではない。
【００１７】
図に示すように、時計用文字板１は、マイクロレンズ層１１と、装飾層１２とを備えている。マイクロレンズ層１１は、複数個のマイクロレンズ１１１を備えるものであり、当該マイクロレンズ１１１は、時計用文字板１（マイクロレンズ層１１）を平面視した際に規則的に配置されたものである。装飾層１２は、複数の線状の模様（線状模様）１２１を有するものである。そして、時計用文字板１を平面視した際に、マイクロレンズ層１１と装飾層１２とが重なり合うものである。
【００１８】
時計用文字板の構成をこのようなものとすることにより、光の干渉（モアレ）を視覚的に使用し、立体感に溢れる外観を呈する時計用文字板を提供することができること、特に、観察者の錯覚を利用するにより、時計用文字板の厚みを、現実の厚み以上のものとして、観察者に認識させることができる時計用文字板を提供することができることを、本発明者は鋭意研究の結果見出した。
時計用文字板１は、マイクロレンズ層１１が装飾層よりも観察者側（外表面側）に配されるようにして用いられるものである。
【００１９】
［マイクロレンズ層］
マイクロレンズ層１１は、複数個のマイクロレンズ１１１が規則的に配置されたものである。
特に、本実施形態では、時計用文字板１を平面視した際の隣接するマイクロレンズ１１１の中心を直線で結んだ場合に、当該直線により複数個の三角形が規則的に配置されたものとなるように、複数個のマイクロレンズ１１１が配置されている。これにより、時計用文字板１の美的外観を特に優れたものとすることができる。
また、図示の構成では、前記三角形が正三角形である。これにより、時計用文字板１の美的外観をさらに優れたものとすることができる。
【００２０】
マイクロレンズ１１１の焦点距離は、１００μｍ以上１０００μｍ以下であるのが好ましく、１５０μｍ以上５００μｍ以下であるのがより好ましい。これにより、時計用文字板１の美的外観を特に優れたものとすることができる。
マイクロレンズ１１１のピッチ（時計用文字板１を平面視した際のピッチ）ＰＭＬは、５０μｍ以上５００μｍ以下であるのが好ましく、６０μｍ以上３００μｍ以下であるのがより好ましい。これにより、時計用文字板１の美的外観を特に優れたものとすることができる。
【００２１】
マイクロレンズ層１１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、光源として、白色蛍光灯（東芝社製、検査用蛍光灯  ＦＬ２０Ｓ−Ｄ６５）を用い、１０００ルクス下で、測定対象の部材（または時計用文字板）と同一形状のソーラーセル（太陽電池）のみで発電した際の電流値（Ｘ）に対する、当該ソーラーセルの光源側の面に測定対象である部材（または時計用文字板）を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００２２】
マイクロレンズ層１１を構成する材料としては、例えば、各種プラスチック材料、各種ガラス材料等が挙げられるが、マイクロレンズ層１１は、主としてプラスチック材料で構成されたものであるのが好ましい。プラスチック材料は、一般に、成形性（成形の自由度）に優れており、種々の形状の時計用文字板１の製造に好適に適用することができる。また、マイクロレンズ層１１がプラスチック材料で構成されたものであると、時計用文字板１の製造コスト低減に有利である。また、プラスチック材料は、一般に、光（可視光）の透過性に優れるとともに、電波の透過性にも優れているため、マイクロレンズ層１１がプラスチック材料で構成されたものであると、時計用文字板１を、ソーラー時計（太陽電池を備えた時計）、電波時計に好適に適用することができる。以下の説明では、マイクロレンズ層１１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００２３】
マイクロレンズ層１１を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂、エポキシ系樹脂、ウレタン系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、マイクロレンズ層１１は、主として、ポリカーボネートで構成されたものであるのが好ましい。これにより、マイクロレンズ１１１をより透明性の高いものとすることができるとともに、マイクロレンズ１１１の屈折率を最適なものとすることができるため、時計用文字板１全体としての美的外観を特に優れたものとすることができる。また、時計用文字板１全体としての強度を特に優れたものとすることができるとともに、マイクロレンズ１１１の寸法精度をより高いものとすることができ、また、マイクロレンズ１１１の不本意な変形等をより確実に防止することができるため、時計用文字板１の信頼性を特に優れたものとすることができる。また、マイクロレンズ層１１が、アクリル系樹脂、ポリエステル系樹脂、エポキシ系樹脂、ウレタン系樹脂で構成されたものである場合、印刷法（特に、インクジェット法のような液滴吐出法）によるマイクロレンズ１１１の形成をより好適に行うことができる。
【００２４】
なお、マイクロレンズ層１１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、マイクロレンズ層１１が着色剤を含む材料で構成されたものであると、時計用文字板１の色のバリエーションを広げることができる。
【００２５】
マイクロレンズ層１１は、各部位でその組成が実質的に均一な組成を有するものであってもよいし、部位によって組成の異なるものであってもよい。
マイクロレンズ層１１の屈折率（絶対屈折率）は、１．５００以上１．６５０以下であるのが好ましく、１．５５０以上１．６００以下であるのがより好ましい。これにより、時計用文字板１の美的外観を特に優れたものとすることができる。
なお、図示の構成では、マイクロレンズ１１１は、略半球状をなすものであり、平面視した際の形状が円形をなす球面レンズであるが、マイクロレンズ１１１の形状は、特に限定されるものでなく、例えば、平面視した際の形状が俵型形状（略楕円形状、長円形状）や、略三角形状、略四角形状、略六角形状等をなすものであってもよい。
【００２６】
また、マイクロレンズ基板（マイクロレンズ層）１１の形状、大きさは、特に限定されず、通常、製造すべき時計用文字板１の形状、大きさに基づいて決定される。なお、図示の構成では、マイクロレンズ基板１１は、平板状をなすものであるが、例えば、湾曲板状等をなすものであってもよい。
また、マイクロレンズ基板１１は、いかなる方法で成形されたものであってもよいが、マイクロレンズ基板１１の製造方法としては、例えば、圧縮成形、押出成形、射出成形、光造形、２Ｐ法等が挙げられる。また、マイクロレンズ基板１１は、例えば、マイクロレンズ１１１を有していない板状部材に、インクジェット法等の液滴吐出法により、マイクロレンズ１１１の構成材料を含む液状材料を吐出することにより、マイクロレンズ１１１を形成して得られたものであってもよい。また、マイクロレンズ１１１は、オフセット印刷、グラビア印刷等の各種印刷法を用いて形成されたものであってもよい。印刷法を用いてマイクロレンズを形成した場合、マイクロレンズ基板１１の生産コストを抑制することができる点で有利である。なお、本発明では、マイクロレンズ基板が有するマイクロレンズのうち少なくとも一部は平面視した際の形状が円形状のものでなくてもよく、例えば、楕円形状をなすものであってもよい。また、複数のマイクロレンズは、それぞれが独立したものであっても、隣接するもの同士がつながったものであってもよい。
【００２７】
［装飾層］
装飾層１２は、複数の線状の模様１２１を有するものである。特に、本実施形態の時計用文字板１では、装飾層（装飾板）１２は、基板１２２上に線状の模様１２１が設けられた構成を有している。これにより、線状の模様１２１を確実に固定することができ、その結果、時計用文字板１は、長期間にわたって確実に優れた美的外観を発揮することができる。すなわち、時計用文字板１の信頼性を特に優れたものとすることができる。
【００２８】
装飾層１２は、複数の線状の模様１２１を有するものであればよいが、本実施形態では、隣接する線状の模様１２１のピッチが、直線状の基準線１２０（１２０ａ）の長手方向に沿って変化するものである。これにより、時計用文字板１の外観をより立体感に溢れるものとすることができ、時計用文字板１の美的外観を特に優れたものとすることができる。なお、図示の構成では、基準線１２０は、装飾層１２を構成する複数の線状の模様１２１のうちの一つであるが、基準線１２０は、概念的なものであって、装飾層１２を構成する線状の模様１２１でなくてもよい。
【００２９】
また、基準線１２０の単位長さ（１ｃｍ）あたりの前記ピッチの変化量は、０．４μｍ以上１６μｍ以下であるのが好ましく、０．５μｍ以上１０μｍ以下であるのがより好ましい。すなわち、基準線１２０の単位長さ（１ｃｍ）あたりの前記ピッチの変化率は、０．２０％以上４．５％以下であるのが好ましく、０．２５％以上２．８％以下であるのがより好ましい。これにより、時計用文字板１の外観をより立体感に溢れるものとすることができ、時計用文字板１の美的外観をさらに優れたものとすることができる。
【００３０】
また、複数の線状の模様１２１は、直線状の基準線１２０の長手方向の各部位における基準線１２０の単位長さあたりの前記ピッチの変化率が、互いに等しいものであるのが好ましい。例えば、図中ＳＡで示した基準線１２０上の点を通り、基準線１２０に垂直な線ＬＡ上での隣接する線状の模様１２１のピッチＰＲＡ１［μｍ］、ＰＲＡ２［μｍ］、ＰＲＡ３［μｍ］、ＰＲＡ４［μｍ］は、図中ＳＢで示した基準線１２０上の点を通り、基準線１２０に垂直な線ＬＢ上での隣接する線状の模様１２１のピッチＰＲＢ１［μｍ］、ＰＲＢ２［μｍ］、ＰＲＢ３［μｍ］、ＰＲＢ４［μｍ］との間で、ＰＲＡ１／ＰＲＢ１＝ＰＲＡ２／ＰＲＢ２＝ＰＲＡ３／ＰＲＢ３＝ＰＲＡ４／ＰＲＢ４の関係を満足する。これにより、時計用文字板１の外観をより立体感に溢れるものとすることができ、時計用文字板１の美的外観をさらに優れたものとすることができる。
なお、基準線１２０上の任意の点を通り、基準線１２０に垂直な線上での隣接する線状の模様１２１のピッチ（例えば、ＰＲＡ１、ＰＲＡ２、ＰＲＡ３およびＰＲＡ４）は、互いに異なるものであってもよいが、同一であるのが好ましい。これにより、時計用文字板１の美的外観をさらに優れたものとすることができる。
【００３１】
隣接する線状の模様１２１のピッチ（時計用文字板１を平面視した際の基準線１２０に垂直な方向でのピッチ）ＰＲは、４０μｍ以上５５０μｍ以下であるのが好ましく、５０μｍ以上３５０μｍ以下であるのがより好ましい。これにより、時計用文字板１の美的外観を特に優れたものとすることができる。本実施形態では、隣接する線状の模様１２１のピッチが、直線状の基準線１２０の長手方向に沿って変化するものであるが、このような場合、時計用文字板１の領域の少なくとも一部で上記のような条件を満足するのが好ましく、時計用文字板１の全領域で上記の条件を満足するのがより好ましい。
【００３２】
マイクロレンズ１１１のピッチをＰＭＬ［μｍ］、隣接する線状の模様１２１のピッチをＰＲ［μｍ］としたとき、０．５≦ＰＲ／ＰＭＬ≦１．５の関係を満足するのが好ましく、０．７≦ＰＲ／ＰＭＬ≦１．３の関係を満足するのがより好ましい。これにより、時計用文字板１の外観をより立体感に溢れるものとすることができ、時計用文字板１の美的外観を特に優れたものとすることができる。本実施形態では、隣接する線状の模様１２１のピッチが、直線状の基準線１２０の長手方向に沿って変化するものであるが、このような場合、時計用文字板１の領域の少なくとも一部で上記のような条件を満足するのが好ましく、時計用文字板１の全領域で上記の条件を満足するのがより好ましい。
なお、隣接する線状の模様１２１のピッチの方がマイクロレンズ１１１のピッチよりも小さい場合には模様が沈んで見え、一方、隣接する線状の模様１２１のピッチの方がマイクロレンズ１１１のピッチよりも大きい場合には模様が浮かんで見える。
【００３３】
線状の模様１２１は、いかなる材料で構成されたものであってもよく、例えば、各種顔料、各種染料等の着色剤や、金属材料を含む材料で構成されたものであってもよい。また、線状の模様１２１は、樹脂材料を含む材料で構成されたものであってもよい。これにより、線状の模様１２１の基板１２２に対する密着性を特に優れたものとすることができる。
線状の模様１２１は、いかなる方法で形成されたものであってもよく、例えば、スクリーン印刷法、グラビア印刷法、タコ印刷法、インクジェット法等の各種印刷法を用いて形成されたものであってもよい。また、基板１２２上に形成された膜に対してエッチング処理を施し、残存した部分を、線状の模様１２１としてもよい。
【００３４】
基板１２２は、線状の模様１２１を保持する機能を有するものであればよく、いかなる材料で構成されたものであってもよいが、時計用文字板１の耐久性、取扱いの容易性等から、プラスチック材料で構成されたものであるのが好ましい。また、基板１２２が光透過性を有する材料で構成されたものであると、時計用文字板１をソーラー時計（太陽電池を備えた時計）に好適に適用することができる。
【００３５】
基板１２２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板１２２は、主として、ポリカーボネートで構成されたものであるのが好ましい。これにより、時計用文字板１全体としての強度を特に優れたものとすることができるとともに、線状の模様１２１の不本意な変形等をより確実に防止することができるため、時計用文字板１の信頼性を特に優れたものとすることができる。
【００３６】
なお、基板１２２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、基板１２２が着色剤を含む材料で構成されたものであると、時計用文字板１の色のバリエーションを広げることができる。
基板１２２は、各部位でその組成が実質的に均一な組成を有するものであってもよいし、部位によって組成の異なるものであってもよい。
【００３７】
マイクロレンズ１１１のレンズ面（図２中の上側の面）から装飾層１２の表面（図２中の上側の面）までの距離は、１００μｍ以上１０００μｍ以下であるのが好ましく、１５０μｍ以上５００μｍ以下であるのがより好ましい。これにより、時計用文字板１の外観をより立体感に溢れるものとすることができ、時計用文字板１の美的外観を特に優れたものとすることができる。
【００３８】
特に、本実施形態のように、時計用文字板１を平面視した際の隣接するマイクロレンズ１１１の中心を直線で結んだ場合に、当該直線により複数個の三角形が規則的に配置されたものとなるように、複数個のマイクロレンズ１１１が配置されている場合、マイクロレンズ１１１のレンズ面（図２中の上側の面）から装飾層１２の表面（図２中の上側の面）までの距離は、１５０μｍ以上５００μｍ以下であるのが好ましく、１５０μｍ以上３００μｍ以下であるのがより好ましい。これにより、時計用文字板１の外観をより立体感に溢れるものとすることができ、時計用文字板１の美的外観を特に優れたものとすることができる。
【００３９】
マイクロレンズ１１１の焦点距離をＬ０［μｍ］、マイクロレンズ１１１のレンズ面から装飾層１２の表面までの距離をＬ１［μｍ］としたとき、０．５≦Ｌ１／Ｌ０≦１．５の関係を満足するのが好ましく、０．６≦Ｌ１／Ｌ０≦１．４の関係を満足するのがより好ましい。これにより、時計用文字板１の外観をより立体感に溢れるものとすることができ、時計用文字板１の美的外観を特に優れたものとすることができる。
また、装飾板（装飾層）１２の形状、大きさは、特に限定されず、通常、製造すべき時計用文字板１の形状、大きさに基づいて決定される。なお、図示の構成では、装飾板１２は、平板状をなすものであるが、例えば、湾曲板状等をなすものであってもよい。
【００４０】
時計用文字板１は、時計用文字板１を平面視した際に、時字が設けられていない部分の少なくとも一部に、線状の模様１２１およびマイクロレンズ１１１が設けられており、時字が設けられている部分には、線状の模様１２１および／またはマイクロレンズ１１１が設けられていないものであるのが好ましい。これにより、時刻の視認性を特に優れたものとしつつ、時計用文字板１の外観を特に優れたものとすることができ、実用品としての実用性と、装飾品としての美的外観とを、より高いレベルで両立することができる。
【００４１】
また、図示の構成では、マイクロレンズ層（マイクロレンズ基板）１１と装飾層（装飾板）１２とが密着している。これにより、マイクロレンズ１１１と線状の模様１２１との距離を一定に保つことができ、時計用文字板１の外観を安定的に優れたものとすることができる。
また、時計用文字板１は、携帯時計（例えば、腕時計）に適用されるものであるのが好ましい。携帯時計は、各種時計の中でも、特に、薄型化が要求されるものであるが、本発明によれば、時計用文字板の厚さを十分に薄いものとしつつ、時計用文字板の立体感を十分に優れたものとすることができる。すなわち、本発明の時計用文字板が携帯時計に適用された場合、本発明の効果がより顕著に発揮される。
【００４２】
（第２実施形態）
図３は、本発明の時計用文字板の第２実施形態を示す平面図である。以下、第２実施形態の時計用文字板について、前記実施形態との相違点を中心に説明し、同様の事項の説明は省略する。
本実施形態の時計用文字板１では、時計用文字板１を平面視した際の隣接するマイクロレンズ１１１の中心を直線で結んだ場合に、当該直線により複数個の四角形が規則的に配置されたものとなっている。このように、本発明においては、マイクロレンズの配置パターンは、第１実施形態で説明したようなものに限定されず、本実施形態のような配置パターンであっても、前述したのと同様な効果が得られる。また、本実施形態のような配置パターンであると、時計用文字板１の美的外観を特に優れたものとすることができる。
【００４３】
また、図示の構成では、前記四角形が正方形である。これにより、時計用文字板１の美的外観をさらに優れたものとすることができる。
特に、本実施形態のように、時計用文字板１を平面視した際の隣接するマイクロレンズ１１１の中心を直線で結んだ場合に、当該直線により複数個の四角形が規則的に配置されたものとなるように、複数個のマイクロレンズ１１１が配置されている場合、マイクロレンズ１１１のレンズ面（図２中の上側の面）から装飾層１２の表面（図２中の上側の面）までの距離は、１００μｍ以上１０００μｍ以下であるのが好ましく、２５０μｍ以上６００μｍ以下であるのがより好ましい。これにより、時計用文字板１の外観をより立体感に溢れるものとすることができ、時計用文字板１の美的外観を特に優れたものとすることができる。
【００４４】
また、本実施形態の時計用文字板１では、線状の模様１２１の配置パターンも、第１実施形態とは異なるものとなっている。すなわち、第１実施形態では、時計用文字板１の中心（平面視した際の中心）から外周（３時および９時の方向）に向かって、隣接する線状の模様１２１のピッチが漸増するものであったのに対し、本実施形態では、時計用文字板１の中心（平面視した際の中心）から外周（３時および９時の方向）に向かって、隣接する線状の模様１２１のピッチが漸減するものである。このように、本発明においては、線状の模様の配置パターンは、第１実施形態で説明したようなものに限定されず、本実施形態のような配置パターンであっても、前述したのと同様な効果が得られる。
【００４５】
（第３実施形態）
図４は、本発明の時計用文字板の第３実施形態を示す平面図である。以下、第３実施形態の時計用文字板について、前記実施形態との相違点を中心に説明し、同様の事項の説明は省略する。
前述した実施形態では、装飾層１２は、１本の直線状の基準線１２０ａを基準とする一群の線群（複数の線状の模様１２１）を有するものであったが、本実施形態では、装飾層１２は、２つの線群（基準線１２０ａを基準とする線群と、基準線１２０ｂを基準とする線群）を有するものである。このように、本発明において、装飾層は、複数の線群を有するものであってもよい。
【００４６】
＜時計＞
次に、上述したような本発明の時計用文字板を備えた本発明の時計について説明する。
本発明の時計は、上述したような本発明の時計用文字板を有するものである。上述したように、本発明の時計用文字板は、立体感に溢れる外観を呈するものであり、特に、観察者の錯覚を利用するにより、時計用文字板の厚みを、現実の厚み以上のものとして、観察者に認識させることができるものであり、装飾性（美的外観）に優れたものである。また、装飾層１２、基板１２２等の材料の選択等により、上記のような優れた外観を確保しつつ、時計用文字板１全体としての光透過性を優れたものとすることができる。このため、このような時計用文字板を備えた本発明の時計は、ソーラー時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００４７】
図５は、本発明の時計（腕時計）の好適な実施形態を示す断面図である。
図５に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１は、太陽電池９４と、ガラス板（カバーガラス）８５との間に設けられており、マイクロレンズ層１１が、ガラス板（カバーガラス）８５側を向くように配置されている。
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
【００４８】
図５中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント８１は、図示しない電波受信用のアンテナを備えている。そして、受信した電波を用いて時刻調整等を行う機能を有している。
【００４９】
太陽電池９４は、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００５０】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００５１】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００５２】
上記のような携帯時計（腕時計）は、各種時計の中でも特に、薄型化が求められるものであるため、時計用文字板の薄型化と優れた美的外観との両立を図ることができる本発明をより好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００５３】
以上、本発明の好適な実施形態について説明したが、本発明は上記のようなものに限定されるものではない。
例えば、本発明の時計用文字板、時計では、各部の構成は、同様の機能を発揮する任意の構成のものに置換することができ、また、任意の構成を付加することもできる。例えば、各種印刷法により形成された印刷部を有するものであってもよい。また、マイクロレンズ層および／または装飾層の表面には、少なくとも１つの層が設けられていてもよい。このような層は、例えば、時計用文字板の使用時等において除去されるものであってもよい。
【００５４】
また、前述した実施形態では、マイクロレンズ層には、同一のパターンでマイクロレンズが設けられている場合について代表的に説明したが、マイクロレンズ層は、マイクロレンズの配置パターンの異なる複数の領域を有するものであってもよい。また、隣接するマイクロレンズのピッチ、配置等は連続的に変化するものであってもよい。
また、前述した実施形態では、時計用文字板を平面視した際に、時字が設けられている部分には、線状の模様および／またはマイクロレンズが設けられていない場合について中心的に説明したが時計用文字板を平面視した際に、時字が設けられている部分に、線状の模様およびマイクロレンズが設けられていてもよい。
【００５５】
また、前述した実施形態では、マイクロレンズ層が、マイクロレンズとして凸レンズを備えるものである場合について代表的に説明したが、マイクロレンズは、装飾層の設けられた面側で焦点を結ぶものであればよく、凹レンズであってもよい。
また、前述した実施形態では、隣接する線状の模様のピッチが基準線の長手方向に沿って、連続的に変化する場合について代表的に説明したが、隣接する線状の模様のピッチは、不連続に変化するものであってもよいし、変化しないものであってもよい。
【００５６】
また、前述した実施形態では、線状の模様は、基板の表面に設けられたものとして説明したが、線状の模様は、マイクロレンズ層の表面に直接設けられたものであってもよい。
また、前述した実施形態では、マイクロレンズを備えるマイクロレンズ層と、線状の模様を備える装飾層とが、密着した構成である場合について代表的に説明したが、マイクロレンズ層と装飾層とは、密着していなくてもよい。
【実施例】
【００５７】
次に、本発明の具体的実施例について説明する。
１．時計用文字板の製造
以下に示すような方法で、各実施例および各比較例について、時計用文字板（腕時計用文字板）を製造した。
【００５８】
（実施例１）
まず、ポリカーボネート（絶対屈折率：１．５８６）を用いて、射出成形により、腕時計用文字板の形状を有する母材を作製し、その後、必要箇所を型抜きし、不要なバリ等を切削、研磨することにより、半球状のマイクロレンズが複数個形成されたマイクロレンズ基板を得た。得られたマイクロレンズ基板は、略円盤状をなし、直径：２７ｍｍ×平均厚さ：２５０μｍであった。また、得られたマイクロレンズ基板は、一方の主面である第１の面の全体にわたって（ただし、時字を形成すべき部位を除く）、マイクロレンズが設けられたものであった。また、得られたマイクロレンズ基板は、マイクロレンズ基板を平面視した際の隣接するマイクロレンズの中心を直線で結んだ場合に、当該直線により複数個の正三角形が規則的に配置されたものであった（図１参照）。マイクロレンズの焦点距離は、２５０μｍであった。マイクロレンズのピッチＰＭＬは、１２０μｍであった。また、マイクロレンズ基板は、第１の面とは反対側の主面である第２の面が平坦で、第１の面の表面粗さＲａが０．０７μｍであった。
その後、マイクロレンズ基板の第１の面のマイクロレンズが設けられていない領域に、時字、マークを接着剤で貼り付けた。
【００５９】
次に、ポリカーボネートを用いて、射出成形により、腕時計用文字板の形状を有する母材を作製し、その後、必要箇所を型抜きし、不要なバリ等を切削、研磨することにより平板状の基板を得た。得られた基板は、略円盤状をなし、直径：２７ｍｍ×平均厚さ：２５０μｍであった。また、得られた基板は、両側の主面が平坦で、これらの表面粗さＲａが０．０７μｍであった。
【００６０】
上記のようにして得られた基板の一方の主面である第１の面にインクジェット法により、アクリル系樹脂と顔料としてのＣ．Ｉ．ピグメントレッド２５４とを含むインクを用いて、１本の直線状の基準線（線状模様）と多数の曲線状の模様（線状模様）とを形成し、装飾板を得た。直線状の基準線（線状模様）は、時計用文字板の３時の位置、９時の位置、および、基板（時計用文字板）を平面視した際の中心を通るものであり、その幅が６０μｍのものであった。また、曲線状の模様（線状模様）は、上記の基準線の上下両側に設けられたものであった。また、基板（時計用文字板）を平面視した際の中心における上記基準線に垂直な線上での隣接する線状の模様のピッチは、いずれも１１５μｍであった。また、基準線の単位長さ（１ｃｍ）あたりの線状の模様のピッチの変化量は、１．１５μｍ（ピッチの変化率：１％）であった。
その後、マイクロレンズ基板の第２の面と、装飾板の第１の面とが接触するように重ね合わせることにより、図１、図２に示すような時計用文字板を得た。
【００６１】
（実施例２〜１３）
マイクロレンズ基板、装飾板の条件を表１に示すものとなるようにした以外は、前記実施例１と同様にして、腕時計用文字板を製造した。
（比較例１）
マイクロレンズ基板を製造せず、装飾板のみで構成されるものとした以外は、前記実施例１と同様にして時計用文字板を製造した。なお、装飾板に対しては、実施例１においてマイクロレンズ基板に対して行ったのと同様にして、時字、マークの貼り付けを行った。
（比較例２）
装飾板を製造せず、マイクロレンズ基板のみで構成されるものとした以外は、前記実施例１と同様にして時計用文字板を製造した。
【００６２】
（比較例３）
インクジェット法により、アクリル系樹脂と顔料としてのＣ．Ｉ．ピグメントレッド２５４とを含むインクを用いて、装飾板の第２の面に、前記実施例１で基板上に形成したのと同様にして、１本の直線状の基準線（線状模様）と多数の曲線状の模様（線状模様）とを形成し、その後、装飾板の第１の面に対して、前記実施例１においてマイクロレンズ基板に対して行ったのと同様にして、時字、マークの貼り付けを行った以外は、前記比較例１と同様にして時計用文字板を製造した。
（比較例４）
基板の厚さを５００μｍに変更した以外は、前記比較例３と同様にして時計用文字板を製造した。
【００６３】
（比較例５）
まず、ポリカーボネートを用いて、射出成形により、腕時計用文字板の形状を有する母材を作製し、その後、必要箇所を型抜きし、不要なバリ等を切削、研磨することにより平板状の基板を得た。得られた基板は、略円盤状をなし、直径：２７ｍｍ×平均厚さ：１００μｍであった。
上記のようにして得られた基板の一方の主面である第１の面の全面に、アクリル系樹脂と顔料としてのＣ．Ｉ．ピグメントレッド２５４とを含むインクを用いて、印刷層を形成した。
【００６４】
次に、塗膜の全面に、未硬化のアクリル系樹脂を付与し、さらに、熱硬化させ、透明塗膜を形成した。透明塗膜の厚さは、５０μｍであった。
その後、透明塗膜の表面に、インクジェット法により、アクリル系樹脂と顔料としてのＣ．Ｉ．ピグメントレッド２５４とを含むインクを用いて、前記実施例１で基板上に形成したのと同様にして、１本の直線状の基準線（線状模様）と多数の曲線状の模様（線状模様）とを形成した。
【００６５】
その後、上記と同様にして、透明塗膜および線状模様の形成を繰り返し行い、全体の厚さが５００μｍとなるようにした。このとき、積層された複数の線状模様の層のうち２層が、基板を平面視した際に、完全に重なり合うことがないように配置した。
その後、前記積層体の表面に、時字、マークの貼り付けを行うことにより時計用文字板を得た。
【００６６】
各実施例および各比較例の時計用文字板の構成を表１にまとめて示す。なお、表中、マイクロレンズの焦点距離をＬ０［μｍ］、マイクロレンズのレンズ面から装飾層の表面までの距離をＬ１［μｍ］、マイクロレンズのピッチをＰＭＬ［μｍ］、隣接する線状の模様のピッチ（時計用文字板を平面視した際の中心における基準線に垂直な線上での隣接する線状の模様のピッチ）をＰＲ［μｍ］、基準線の単位長さ（１ｃｍ）あたりの線状の模様のピッチの変化量（変化率）をＲ［％］で示した。なお、線状の模様のピッチの変化量は、時計用文字板を平面視した際の中心から外周部に向かってピッチが大きくなるものを正の値で、時計用文字板を平面視した際の中心から外周部に向かってピッチが小さくなるものを負の値で示した。また、表中、ポリカーボネートをＰＣで示し、ポリエステル系樹脂をＰＥｓ、アクリル系樹脂をＡｃで示した。また、表１中、マイクロレンズについての「配置パターン」の欄には、図１に示すように、時計用文字板を平面視した際の隣接するマイクロレンズの中心を直線で結んだ場合に、当該直線により複数個の三角形が規則的に配置されたパターンを「ａ」で示し、図３に示すように、時計用文字板を平面視した際の隣接するマイクロレンズの中心を直線で結んだ場合に、当該直線により複数個の四角形が規則的に配置されたパターンを「ｂ」で示した。また、表１中、線状模様についての「配置パターン」の欄には、図１に示すように、時計用文字板の中心から外周に向かって、隣接する線状の模様のピッチが漸増するパターンを「ｃ」で示し、図３に示すように、時計用文字板の中心から外周に向かって、隣接する線状の模様のピッチが漸減するパターンを「ｄ」で示し、図４に示すように、２つの線群（６時と１２時の位置を通る直線を基準線とする線群と、３時と９時の位置を通る直線を基準線とする線群）を有するパターンを「ｅ」で示した。また、時計用文字板の各部位は、いずれも、表１に示す成分を主成分として構成されたものであり、それ以外の成分の含有率が０．１ｗｔ％未満であった。
【００６７】
【表１】
2013044685.tif 000003
【００６８】
２．腕時計用文字板の外観評価（立体感の評価）
前記各実施例および各比較例で製造した各腕時計用文字板について、時字が設けられた面側から目視による観察を行い、これらの外観を以下の７段階の基準に従い、評価した。
Ａ：立体感に溢れた極めて優れた外観を有している。
Ｂ：立体感に溢れた非常に優れた外観を有している。
Ｃ：立体感のある優れた外観を有している。
Ｄ：立体感のある良好な外観を有している。
Ｅ：立体感が不十分で外観がやや不良。
Ｆ：立体感に劣り外観が不良。
Ｇ：立体感に劣り外観が極めて不良。
【００６９】
３．腕時計用文字板の光透過性評価
前記各実施例および各比較例で製造した各腕時計用文字板について、以下のような方法により、光透過性を評価した。
まず、太陽電池と各腕時計用文字板とを暗室にいれた。その後、太陽電池単体でその受光面に対し、所定距離離間した白色蛍光灯（光源）からの光を入射させた。この際、太陽電池の発電電流をＡ［ｍＡ］とした。次に、前記太陽電池の受光面の上面に、腕時計用文字板を重ね合わせた状態で、前記と同様に所定距離離間した白色蛍光灯（光源）からの光を入射させた。この状態での、太陽電池の発電電流をＢ［ｍＡ］とした。そして、（Ｂ／Ａ）×１００で表される時計用文字板の光透過率を算出し、以下の５段階の基準に従い、評価した。光透過率が大きいほど、時計用文字板の光透過性は優れたものであるといえる。なお、各実施例および各比較例の時計用文字板については、時字が設けられた面が白色蛍光灯（光源）側を向くように、太陽電池に重ね合わせた。
【００７０】
Ａ：４０％以上。
Ｂ：３２％以上４０％未満。
Ｃ：２５％以上３２％未満。
Ｄ：１７％以上２５％未満。
Ｅ：１７％未満。
【００７１】
４．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
次に、時計ケース内に、腕時計用内部モジュール（ムーブメント）および、腕時計用文字板を組み込み、この状態での電波の受信感度を測定した。このとき、各実施例および各比較例の時計用文字板については、時字が設けられた面が外表面側を向くようにした。
【００７２】
腕時計用文字板を組み込まない状態での受信感度を基準とし、腕時計用文字板を組み込んだ場合における受信感度の低下量（ｄＢ）を以下の４段階の基準に従い、評価した。電波の受信感度の低下が低いものほど、腕時計用文字板の電波透過性は優れたものであるといえる。
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
これらの結果を表２に示す。
【００７３】
【表２】
2013044685.tif 000004
【００７４】
表２から明らかなように、本発明の時計用文字板は、いずれも立体感に溢れた優れた美的外観を有していた。また、本発明の時計用文字板は、光の透過性、電波の透過性にも優れていた。これに対し、比較例では、満足な結果が得られなかった。
また、各実施例および各比較例で得られた時計用文字板を用いて、図５に示すような時計を組み立てた。このようにして得られた各時計について、上記と同様の試験、評価を行ったところ、上記と同様の結果が得られた。
【符号の説明】
【００７５】
１…時計用文字板  １１…マイクロレンズ層（マイクロレンズ基板）  １１１…マイクロレンズ  １２…装飾層（装飾板）  １２０、１２０ａ、１２０ｂ…基準線  １２１…線状の模様（線状模様）  １２２…基板  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  ９４…太陽電池    １００…腕時計（携帯時計）  ＳＡ…基準線上の点  ＳＢ…基準線上の点  ＬＡ…線  ＬＢ…線  ＰＭＬ…ピッチ  ＰＲ…ピッチ  ＰＲＡ１…ピッチ  ＰＲＡ２…ピッチ  ＰＲＡ３…ピッチ  ＰＲＡ４…ピッチ  ＰＲＢ１…ピッチ  ＰＲＢ２…ピッチ  ＰＲＢ３…ピッチ  ＰＲＢ４…ピッチ
【図１】
2013044685.tif 000005
【図２】
2013044685.tif 000006
【図３】
2013044685.tif 000007
【図４】
2013044685.tif 000008
【図５】
2013044685.tif 000009